(57)【要約】【課題】  使用者の脚の部分も湯水のミストで十分に包み込むことができるシャワー装置を提供する。【解決手段】  複数のノズルを有するアーム４および背面に設置した複数のノズル３により、座部２に座った使用者の全身をミストで包み込むように構成されたシャワー装置であって、前記アーム４の最先端に、使用者の脚に向けて湯水を噴出するノズル６を有する構成とする。【選択図】        図１
2007301410.tif 000002
【特許請求の範囲】
【請求項１】
複数のノズルを有するアームおよび背面に設置した複数のノズルにより、座部に座った使用者の全身をミストで包み込むように構成されたシャワー装置であって、前記アームの最先端に、使用者の脚に向けて湯水を噴出するノズルを有することを特徴とするシャワー装置。
【請求項２】
アームの最先端のノズルは、その他の複数のノズルより湯水の噴出角度の小さいことを特徴とする請求項１記載のシャワー装置。
【請求項３】
アームの最先端のノズルは、その他の複数のノズルより湯水の噴出量の少ないことを特徴とする請求項１または２記載のシャワー装置。
【発明の詳細な説明】
【技術分野】
【０００１】
本発明はシャワー装置で、特に座姿勢でシャワーを利用する装置に関するものである。
【背景技術】
【０００２】
一般に立位姿勢でのシャワー入浴は足腰が弱った高齢者にとっては、負担が大きいものであり、できれば座姿勢でのシャワー入浴が望ましく、最近このような発明も見られるようになってきた。例えば、特開平７ー２７５１５０号公報では、図５に示すとおり、複数のノズル２１により、座部２２に座った使用者の全身をミストで包み込むように構成されたシャワー装置が提案されている。また出願人は複数のノズル付きの可動自在なアームを備え、かつ背面にもノズルを設けて座部に座って使用できるシャワー装置を提案している。
【発明の開示】
【発明が解決しようとする課題】
【０００３】
しかしながら、複数のノズルを有するアームおよび背面に設置した複数のノズルにより、座部に座った使用者の全身をミストで包み込むように構成されたシャワー装置においては、使用者の全身を湯水のミストで包み込むのであるが、使用者の脚の部分は十分にミストで包み込めない課題があった。
【課題を解決するための手段】
【０００４】
本発明は前述の課題を解決するために、複数のノズルを有するアームおよび背面に設置した複数のノズルにより、座部に座った使用者の全身をミストで包み込むように構成されたシャワー装置であって、前記アームの最先端に、使用者の脚に向けて湯水を噴出するノズルを有する構成としたものである。
【０００５】
上記発明によれば、特に使用者の脚の部分も湯水のミストで十分に包み込むことができるようになる。
【発明の効果】
【０００６】
本発明の請求項１に係る発明は、使用者の脚の部分も湯水のミストで効率よく包み込むことができる。
【０００７】
本発明の請求項２に係る発明は、使用者の脚の部分を的確に狭い範囲で湯水のミストで包み込むことができる。
【０００８】
本発明の請求項３に係る発明は、使用者の全身を湯水のミストで包み込むようにするには、バランス的に配慮してアームの先端の脚に対応するノズルは、その他の複数のノズルより湯水の噴出量を少なくしても十分な温熱効果を得ることができ、節水効果が期待できる。
【発明を実施するための最良の形態】
【０００９】
本発明の請求項１にかかる発明は、複数のノズルを有するアームおよび背面に設置した複数のノズルにより、座部に座った使用者の全身をミストで包み込むように構成されたシャワー装置であって、前記アームの最先端に、使用者の脚に向けて湯水を噴出するノズルを有する構成とする。
【００１０】
そして、使用者の脚の部分も十分に、効率よく湯水のミストで包み込むことができるようになる。
【００１１】
本発明の請求項２にかかる発明は、アームの先端のノズルは、その他の複数のノズルより湯水の噴出角度が小さいようにする。
【００１２】
そして、使用者の脚の部分を的確に狭い範囲で湯水のミストで包み込むことができる。
【００１３】
本発明の請求項３にかかる発明は、アームの先端のノズルは、その他の複数のノズルより湯水の噴出量が少ないようにする。
【００１４】
そして、使用者の全身を湯水のミストで包み込むようにするには、バランス的に配慮してアームの先端の脚に対応するノズルは、その他の複数のノズルより湯水の噴出量が少なくしても十分な温熱効果を得ることができる。
【実施例】
【００１５】
以下、本発明の実施例について図面を用いて説明する。
【００１６】
図１にシャワー装置の正面図を示す。１はシャワー装置本体、２はシャワー装置本体１により支持された入浴者が着座する着座手段、３は着座した入浴者に温水を噴出する温水噴出手段である複数のノズルで、背面に設置してある。４は温水噴出手段である複数のノズル５を有しシャワー装置本体１により支持されたアームである。着座手段２はシャワー装置本体１に固定または可動に支持されている。また上記複数のノズルはシャワー装置本体１またはアーム４に複数取り付けられている。アーム４はシャワー装置本体１に可動に支持されている。６は、前記アームの最先端に付けられた温水噴出手段であるノズルである。
【００１７】
図２にシャワー装置の側面図を示す。背面に設置した複数のノズル３は、図示せざるシャワー装置を取付ける本体金具に取り付けた構成になっている。さらに、背面に設置した複数のノズル３は、図２で明らかなように、シャワー装置の背面カバー７の凹部７ａに設けられた構成としている。図３に上記図２におけるＡ部の拡大断面図を示す。背面に設置した複数のノズル３は、シャワー装置の背面カバー７とノズル保持樹脂板８を介しノズル保持金具９にビスで固定されている。さらに、ノズル保持金具９は、シャワー装置を取付ける本体金具１０に固定され、ノズル保持金具１０は浴室の壁面１１にビスなどで取り付けられている。背面に設置した複数のノズル３は、ミスト状の湯水を供給するための配管継ぎ手１２と接続されている。さらに、シャワー装置の背面カバー７とノズル保持樹脂板８との間には干渉防止パッキン１３が挿入されている。
【００１８】
このように、ノズル３が金具に強固に固定されることにより、ノズル３の向きが変更できるように使用者が動かしたり、使用者の背中があたっても、十分な強度を保つことができる。
【００１９】
さらに、シャワー装置の背面カバー７に凹部７ａ設け、そこに背面に設置するノズル３を配置することにより、背面に設置した複数のノズル３は、シャワー装置を取付ける本体金具に取付けることができ、背面カバー７で覆われているので外観上の見栄えも良くすることができる。
【００２０】
すなわち背面に設置した複数のノズル３が各種の金具を用いることにより強固に固定することができ、ノズル３の向きが変更できるように使用者が動かしたり、使用者の背中があたっても、十分な強度を保つことができる。また、干渉防止パッキン１３により、ノズルの向きが変更や使用者の背中があたった場合でも音の発生を防止できる。
【００２１】
また、図２に示す背面に設置した複数のノズル３は、使用者の腰に対応する位置に取り付けることもできる。
【００２２】
図４は、実際に使用者が複数のノズル５を有するアーム４および背面に設置した複数のノズルにより、座部に座った使用者の全身をミストで包み込むように構成された様子を示す模式図である。図１で示すアーム４の最先端に設けられたノズル６からの湯水は、使用者の脚に向けて当たっている。
【００２３】
アーム４先端のノズル６は、その他の複数のノズル（３，５）より湯水の噴出角度が小さいようにすることもできる。これにより、使用者の脚の部分を的確に狭い範囲で湯水のミストで包み込むことができる。さらに、アーム４の先端のノズル６は、その他の複数のノズル（３,５）より湯水の噴出量が少ないようにすることができる。すなわち、使用者の全身を湯水のミストで包み込むようにするには、バランス的に配慮してアーム４の先端の脚に対応するノズル６は、その他の複数のノズルより湯水の噴出量が少なくしても十分な温熱効果を得ることができる。
【図面の簡単な説明】
【００２４】
【図１】本発明の一実施例におけるシャワー装置の正面図
【図２】同シャワー装置の側面図
【図３】同シャワー装置の図２におけるＡ部の拡大断面図
【図４】同シャワー装置の湯水の噴出状態の模式図
【図５】従来例のシャワー装置の正面図
【符号の説明】
【００２５】
１  シャワー装置本体
３  背面に設置した複数のノズル
４  アーム
６  アームの最先端に付けられたノズル
７  背面カバー
７ａ  凹部
８  ノズル保持樹脂板
９  ノズル保持金具
１０  シャワー装置を取付ける本体金具
【図１】
2007301410.tif 000003
【図２】
2007301410.tif 000004
【図３】
2007301410.tif 000005
【図４】
2007301410.tif 000006
【図５】
2007301410.tif 000007